(57)【要約】【課題】  書籍の見開き面を読み取った際に、各ページの所望の領域を指定してページ分割を行うと、各ページごとに指定した領域のサイズが異なってしまい、元の原稿の画像と見た目に異なる画像となってしまう。【解決手段】  原稿の見開き面を読み取ってページに分割する見開き２ページモードで読み取られた画像データを入力してプレビュー画像を表示し、その表示されたプレビュー画像に対して、見開き２ページモードで分割する一方のページの第１領域を指定すると、その第１領域の指定を、見開き２ページモードで分割する他方のページの第２領域の指定に反映させる。そして、見開き２ページモードで読み取られた画像データから第１及び第２領域の画像データを切り出す。【選択図】  図５
2013258502.tif 000002
【特許請求の範囲】
【請求項１】
原稿の見開き面を読み取って２ページに分割する見開き２ページモードで読み取られた画像データを入力してプレビュー画像を表示するプレビュー表示手段と、
前記プレビュー表示手段で表示されたプレビュー画像に対して、前記見開き２ページモードで分割する一方のページの第１領域を指定する指定手段と、
前記指定手段による前記第１領域の指定を、前記見開き２ページモードで分割する他方のページの第２領域の指定に反映させる領域設定手段と、
前記見開き２ページモードで読み取られた画像データから前記第１及び第２領域の画像データを切り出す切り出し手段と、
を有することを特徴とする画像処理装置。
【請求項２】
原稿を読み取る画像読み取り手段を更に有し、
前記見開き２ページモードで読み取られた画像データは、前記画像読み取り手段で原稿を読み取って得られた画像データであることを特徴とする請求項１に記載の画像処理装置。
【請求項３】
前記切り出し手段で切り出した画像データに基づく画像を表示する表示手段を更に有することを特徴とする請求項１又は２に記載の画像処理装置。
【請求項４】
前記指定手段による前記第１領域の指定、及び前記領域設定手段による前記第２領域の指定を、それまでに読み取った画像データに適用して前記表示手段により表示させる全ページプレビュー手段を更に有することを特徴とする請求項３に記載の画像処理装置。
【請求項５】
前記プレビュー表示手段で表示されたプレビュー画像に対して、前記見開き２ページモードで分割する他方のページの前記第２領域を指定する手段を更に有することを特徴とする請求項１乃至４のいずれか１項に記載の画像処理装置。
【請求項６】
前記切り出し手段で切り出した画像データに基づく画像を印刷する印刷手段を更に有することを特徴とする請求項１乃至５のいずれか１項に記載の画像処理装置。
【請求項７】
前記見開き２ページモードで読み取られた画像データのサイズが、前記見開き２ページの中心に対して対称の場合、前記領域設定手段は、前記第１領域の縦及び横方向のサイズを前記第２領域の縦及び横方向のサイズに反映させることを特徴とする請求項１に記載の画像処理装置。
【請求項８】
前記見開き２ページモードで読み取られた画像データのサイズが、前記見開き２ページの中心に対して非対称の場合、前記領域設定手段は、前記第１領域の縦方向のサイズを前記第２領域の縦方向のサイズに反映させることを特徴とする請求項１に記載の画像処理装置。
【請求項９】
プレビュー表示手段が、原稿の見開き面を読み取って２ページに分割する見開き２ページモードで読み取られた画像データを入力してプレビュー画像を表示するプレビュー表示工程と、
指定手段が、前記プレビュー表示工程で表示されたプレビュー画像に対して、前記見開き２ページモードで分割する一方のページの第１領域を指定する指定工程と、
領域設定手段が、前記指定工程による前記第１領域の指定を、前記見開き２ページモードで分割する他方のページの第２領域の指定に反映させる領域設定工程と、
切り出し手段が、前記見開き２ページモードで読み取られた画像データから前記第１及び第２領域の画像データを切り出す切り出し工程と、
を有することを特徴とする画像処理装置の制御方法。
【請求項１０】
コンピュータを、請求項１乃至８のいずれか１項に記載の画像処理装置として機能させるためのプログラム。
【発明の詳細な説明】
【技術分野】
【０００１】
本発明は、画像処理装置及びその制御方法とプログラムに関するものである。
【背景技術】
【０００２】
スキャナや多機能処理装置（ＭＦＰ）等の画像読み取り装置には、原稿の中の指定された特定領域の画像だけを切り出して読み取ることができるものがある。その特定領域を指定する方法には、先に原稿の読み取りを行い、その読み取った画像を操作画面に表示し、その表示された画像を見ながらユーザが所望の領域を指定する方法がある。
【０００３】
また、ＭＦＰやコピー機等を使用する際、本や雑誌等の書籍を見開き状態にして読み取り、その見開き面の内容を複写することがある。このような場合は、ユーザは、見開き状態の書籍を、その見開き面を下向きにしてＭＦＰ等の読み取り部に置き、コピーの開始ボタンを押す。これによりＭＦＰは、その見開き面を通常の原稿と同様に読み取り、その読み取った画像データを基に画像を印刷する。
【０００４】
また、このようなコピー機やＭＦＰには、例えば、ユーザの操作により見開き原稿を２つのページに分割する見開き２ページモードを設定できるものがある。そして、この見開き２ページモードでは、書籍の見開き面を読み取り、その読み取った画像データに対して、所定の定型サイズで２分割したり、或いは読み取った画像データのサイズに応じて２分割する等の処理を行うことができる（例えば、特許文献１参照）。
【先行技術文献】
【特許文献】
【０００５】
【特許文献１】特開２００６−１８６９４６号公報
【発明の概要】
【発明が解決しようとする課題】
【０００６】
上述の、定型サイズでの２分割を行う場合には、ユーザが見開き面を読み取り部に置く際の位置がずれてしまったり、定型外サイズの書籍に対して見開き２ページモードを設定すると、ユーザの意図しない領域で分割がされてしまうといった課題がある。また特許文献１に記載されている装置であっても、書籍の見開き面を読み取る際に、書籍に厚みがあると見開き面以外のページが読み取られてしまい、２分割した際に実際の見開き面を２分割したサイズとは異なってしまう場合があった。そこで、書籍の見開き面を読み取った際に、各ページの所望の領域を指定して、その指定した領域の画像を切り取ることにより、ユーザが所望するページ分割を行うことが考えられる。しかしながら、このような方法では、各ページごとに指定した領域のサイズが異なってしまい、元の原稿の画像と見た目に異なる画像として複写されるという問題があった。
【０００７】
本発明の目的は、上記従来技術の問題点を解決することにある。
【０００８】
本発明の特徴は、見開き面に対するページの領域指定を、ページ間で連動して制御することにより、見開き面の各ページにおける領域のずれをなくすことができる技術を提供することにある。
【課題を解決するための手段】
【０００９】
上記目的を達成するために本発明の一態様に係る画像処理装置は以下のような構成を備える。即ち、
原稿の見開き面を読み取って２ページに分割する見開き２ページモードで読み取られた画像データを入力してプレビュー画像を表示するプレビュー表示手段と、
前記プレビュー表示手段で表示されたプレビュー画像に対して、前記見開き２ページモードで分割する一方のページの第１領域を指定する指定手段と、
前記指定手段による前記第１領域の指定を、前記見開き２ページモードで分割する他方のページの第２領域の指定に反映させる領域設定手段と、
前記見開き２ページモードで読み取られた画像データから前記第１及び第２領域の画像データを切り出す切り出し手段と、を有することを特徴とする。
【発明の効果】
【００１０】
本発明によれば、見開き原稿のプレビュー画面を確認しながらユーザが領域を指定するため、定型外の原稿であっても意図しない分割がされてしまうことがなくなる。また、見開き原稿を２分割する場合に、見開き面に対する左右のページの領域指定を連動して制御することで、各見開き面での指定領域のずれを、ユーザが容易に確認して修正できるため、ユーザの期待する処理結果を得ることが可能となる。
【図面の簡単な説明】
【００１１】
【図１】実施形態に係る画像読み取り装置の構成を示すブロック図。
【図２】実施形態に係る画像読み取り装置の表示・操作部の表示部に表示される画面の模式図。
【図３】実施形態に係る画像読み取り装置が、図２（Ａ）或いは図２（Ｃ）で示したコピー機能の待機画面を表示しているときの処理を説明するフローチャート。
【図４】エリア指定モードでスタートボタンが押下されたときの画像読み取り装置の動作を説明するフローチャート。
【図５】実施形態１に係る画像読み取り装置において、見開き２ページモードでコピーが指示されたときの画像読み取り装置の動作を説明するフローチャート。
【図６】実施形態に係る画像読み取り装置がエリア指定モードで処理を実行するとき表示・操作部に表示される表示画面の模式図。
【図７】実施形態１に係る見開き２ページモードで、ページの領域を指定するときの表示・操作部に表示される画面例を示す図。
【図８】実施形態１に係る見開き２ページモードで、ページの領域を指定するときの表示・操作部に表示される画面例を示す図。
【図９】実施形態１で読み取る原稿の一例を示す図（Ａ）（Ｂ）と、実施形態２で読み取る左右のサイズが対称でない原稿の一例を示す図（Ｃ）。
【図１０】実施形態２に係る見開き２ページモードで、ページの領域を指定するときの表示・操作部に表示される画面例を示す図。
【図１１】実施形態２に係る画像読み取り装置において、見開き２ページモードでコピーが指示されたときの画像読み取り装置の動作を説明するフローチャート。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。尚、以下の実施形態では、本発明の画像処理装置を多機能処理装置などの画像読み取り装置を例に説明するが、本発明はこれに限定されるものでなく、例えば原稿画像を入力して印刷できるＰＣ等にも適用できる。
【００１３】
図１は、実施形態１に係る画像読み取り装置１００の構成を示すブロック図である。
【００１４】
画像読み取り部１０１は、ＣＰＵ１０５の制御により動作し、原稿台（不図示）にユーザがセットした原稿を読み取って画像データを生成し、その画像データをデータバス１０９を介してメモリ１０６に格納する。画像拡大・縮小部１０２は、ＣＰＵ１０５の制御により動作し、メモリ１０６に格納された画像データをデータバス１０９を介して受け取り、画像拡大・縮小処理を行い、その結果の画像データをデータバス１０９を介してメモリ１０６に格納する。画像処理部１０３は、ＣＰＵ１０５の制御により動作し、メモリ１０６に格納された画像データをデータバス１０９を介して受け取り、画像処理を行った結果の画像データをデータバス１０９を介してメモリ１０６に格納する。画像処理部１０３は、画像データから、任意の領域の画像データを切り取った画像データを生成できる。表示・操作部１０４はタッチパネル付きの表示部（不図示）を有している。この表示・操作部１０４は、ＣＰＵ１０５の制御により動作し、データバス１０９を介してＣＰＵ１０５から受信した情報をタッチパネル付きの表示部に表示し、またタッチパネルでユーザが操作した操作情報をＣＰＵ１０５に送信する。
【００１５】
ＣＰＵ１０５は、ＨＤＤ１０７に格納されたプログラムをメモリ１０６に展開し、そのプログラムに従って画像読み取り装置１００の制御を行う。メモリ１０６は、ＣＰＵ１０５のプログラムを格納したり、画像データ等を格納するのに使用される。ＨＤＤ（ハードディスクドライブ）１０７は、ＣＰＵ１０５のプログラムをインストールしており、また画像データ等を格納するのに使用される。また、ＨＤＤ１０７には、イメージ合成で使用するフォーム画像データに関する情報が予め記憶されている。画像印刷部１０８は、ＣＰＵ１０５の制御により動作し、データバス１０９を介して受信した画像データを、電子写真プロセス、或いはインクジェット法等により用紙に印刷する。ネットワークインターフェース部１１０は、ＣＰＵ１０５の制御によって、ネットワークからの画像データや各種情報の受信や、メモリ１０６に格納された画像データや各種情報の送信を行う。データバス１０９は、データバス１０９を介して接続された、上述した各部の間で画像データや情報の転送を行う。
【００１６】
図２（Ａ）〜（Ｃ）は、実施形態１に係る画像読み取り装置の表示・操作部１０４の表示部に表示される画面の模式図である。
【００１７】
図２（Ａ）は、コピー機能の待機画面２０１の一例を示す。図２（Ｂ）は、コピー機能のその他の機能の設定画面２０２の一例を示す。図２（Ｃ）は、コピー機能の見開き２ページの設定がある状態のコピー機能の待ち受け画面２０３の一例を示す図である。
【００１８】
前述の通り、ＣＰＵ１０５の制御により、表示・操作部１０４におけるユーザの操作の検知と表示の切り換えが実施される。以下、ユーザの操作による表示の遷移について説明する。初期状態は、図２（Ａ）の待機画面２０１の状態である。この状態で、その他の機能ボタン２１６が押下されると、図２（Ｂ）の設定画面２０２に遷移する。この状態から見開き２ページボタン２２２が押下されると、その他の機能ボタン２１６に「見開き２ページ」が表示された図２（Ｃ）の設定画面２０３に遷移する。また図２（Ｂ）の状態からエリア指定ボタン２２１が押下されると、図２（Ｃ）の設定画面で、その他の機能ボタン２１６に「エリア指定」が表示される。
【００１９】
尚、図２（Ａ）の待機画面２０１では、倍率の設定、用紙の選択、部数の設定、ステイプル等の仕上げ処理の設定、両面印刷の設定などを行うことができる。また図２（Ｂ）のその他の機能の設定画面２０２では、２in１等のページ集約、濃度、シャープネス、枠消し、ネガポジ反転、エリア指定、見開き２ページ等を指定することができる。
【００２０】
図３は、実施形態１に係る画像読み取り装置が、図２（Ａ）或いは図２（Ｃ）で示したコピー機能の待機画面２０１又は２０３を表示しているときの処理を説明するフローチャートである。ここでは説明を簡略化するために、エリア指定モード及び見開き２ページモードを設定する処理の詳細を省略している。尚、この処理は、メモリ１０６に展開されたプログラムをＣＰＵ１０５が実行することにより達成される。
【００２１】
まずＳ３０１で、ＣＰＵ１０５は、表示・操作部１０４に、図２（Ａ）或いは図２（Ｃ）に示すコピー機能の待機画面２０１或いは２０３を表示してＳ３０２に進む。尚、図２（Ｃ）は、図２（Ｂ）の画面を使用して見開き２ページが設定されている場合を示すが、エリア指定モードが設定されていても良い。次にＳ３０２に進み、ＣＰＵ１０５は、表示・操作部１０４で、図２（Ａ）或いは図２（Ｃ）の待機画面のスタートボタン２１８が押されたかどうかを判定し、押されたときはＳ３０３に進み、押されないときはＳ３０２に留まる。
【００２２】
Ｓ３０３で、ＣＰＵ１０５は、エリア指定モードが設定されているかどうかを判定し、エリア指定モードが設定されていれば図４のエリア指定モードの処理を示すフローチャートへ進み、そうでなければＳ３０４へ進む。Ｓ３０４で、ＣＰＵ１０５は、見開き２ページモードが設定されているかどうかを判定し、見開き２ページモードが設定されていれば図５の見開き２ページモードの処理を示すフローチャートへ進み、そうでなければＳ３０５へ進む。ここで見開き２ページモードは、原稿の見開き面を読み取り、左右の２ページを１ページずつに分割するモードである。例えば、図２（Ｃ）の状態でスタートボタン２１８が押下されたときは、図５の見開き２ページモードの処理へ進むことになる。Ｓ３０５でＣＰＵ１０５は、エリア指定モード又は見開き２ページモード以外の、通常のコピー処理を実行する。これは例えば、図２（Ａ）の状態でスタートボタン２１８が押下されたときの状態に相当する。尚、Ｓ３０５での詳細な動作については、説明の簡略化のため省略する。
【００２３】
図４は、実施形態１に係る画像読み取り装置において、エリア指定モードでスタートボタン２１８が押下されたときの画像読み取り装置の動作を説明するフローチャートである。尚、この処理は、メモリ１０６に展開されたプログラムをＣＰＵ１０５が実行することにより達成される。
【００２４】
図６は、実施形態１に係る画像読み取り装置がエリア指定モードで処理を実行するとき表示・操作部１０４に表示される表示画面の模式図である。
【００２５】
まずＳ４０１で、ＣＰＵ１０５は、スタートボタン２１８の押下に応答して、画像読み通り部１０１で原稿全体を読み取る。そしてＳ４０２に進み、その読み取って得られた画像データをメモリ１０６とＨＤＤ１０７に記憶してＳ４０３に進む。Ｓ４０３で、ＣＰＵ１０５は、メモリ１０６に記憶した画像データを画像処理部１０３に転送してプレビュー用の画像処理を行い、またその画像データを画像拡大・縮小部１０２に転送してプレビュー用に画像データの拡大・縮小処理を行う。そしてＳ４０４に進み、ＣＰＵ１０５は、そのプレビュー用に処理された画像データに従って、プレビュー画像を表示・操作部１０４の表示部に表示する。
【００２６】
次にＳ４０５に進み、ＣＰＵ１０５は、表示・操作部１０４に表示したプレビュー画像に対して、ユーザによるエリア指定の操作を受け付けて、ユーザにより指定された領域を認識する。
【００２７】
以下では、Ｓ４０６でのユーザの操作による表示・操作部１０４の表示の遷移を図６（Ａ）（Ｂ）を参照して説明する。
【００２８】
図６（Ａ）は、原稿の画像プレビュー６１５を表示するエリア設定画面の一例を示す図である。この状態では原稿のプレビュー画像と、そのプレビュー画像に重ねて斜線領域が表示され、ユーザはこの斜線領域の角に表示されたつまみ６１４をドラッグで移動することにより、この斜線領域のサイズや位置などの設定を変更することができる。図６（Ａ）の状態からつまみ６１４を移動して、斜線領域を拡張した後の画面が図６（Ｂ）に示すエリア設定画面である。
【００２９】
次にＳ４０６に進み、ＣＰＵ１０５は、図６の設定完了ボタン６１３が押下されたかどうかを判定し、押下されなければＳ４０７へ進み、押下されたときはＳ４０８に進んで、エリア指定の設定を完了する。Ｓ４０７では、ＣＰＵ１０５は、キャンセルボタン６１２が押下されたかどうかを判定し、押下されなければＳ４０５へ戻り、再度、指定されたエリアを認識する。また、キャンセルボタン６１２が押下されると待機状態のフローチャートへ戻る。
【００３０】
Ｓ４０８では、ＣＰＵ１０５は、メモリ１０６に記憶した画像データを画像処理部１０３に転送し、斜線領域に対応する画像の切り出しやセンタリング等の画像処理を行い、その画像処理を行った結果の画像データをメモリ１０６に記憶する。そしてＳ４０９に進み、ＣＰＵ１０５は、表示・操作部１０４に、メモリ１０６に記憶した画像処理済の画像データを基に、斜線領域で指定されたエリアのプレビュー画像を表示する。
【００３１】
図６（Ｃ）は、ユーザが図６（Ｂ）で画像の切り出しエリアの指定を完了した後に、そのエリアのプレビュー画像の表示例を示す図である。ここでは図６（Ｂ）の斜線領域で指定された画像がプレビュー画像として表示されている。
【００３２】
次にＳ４１０に進み、ＣＰＵ１０５は、図６（Ｃ）の画面で、プリント開始ボタン６３２が押下されたかどうかを判定し、押下されていなければＳ４１１へ進み、押下されるとＳ４１２へ進む。Ｓ４１１で、ＣＰＵ１０５は、図６（Ｃ）の画面で、キャンセルボタン６３２が押下されたかどうかを確認し、押下されていなければＳ４０９へ戻ってプレビュー画像の表示を継続する。一方、キャンセルボタン６３２が押下されると再度、斜線領域によるエリアの指定を行うためにＳ４０５に戻る。
【００３３】
Ｓ４１０でプリント開始ボタン６３２が押下されるとＳ４１２に進み、ＣＰＵ１０５は、Ｓ４０２でＨＤＤ１０７に記憶した画像データを読み出してメモリ１０６に記憶する。次にＳ４１３に進み、ＣＰＵ１０５はＳ４１２でメモリ１０６に記憶された画像データを画像処理部１０３に転送し、図６（Ｂ）のエリア設定画面で指定された斜線領域に対応する画像データを切り出してメモリ１０６に記憶する。そしてＳ４１４で、ＣＰＵ１０５は、メモリ１０６に記憶された、その斜線領域の画像データを読み出して、画像印刷部１０８に転送して印刷する。
【００３４】
このようにして、原稿を読み取った画像データを表示し、その画面上で、画像を切り出す領域を指定し、その切り出した領域の画像データに対応する画像を印刷することができる。
【００３５】
次に、本実施形態１に係る見開き２ページモードの動作について、図９（Ａ）（Ｂ）の原稿に対するコピー動作を例に、図５のフローチャートを用いて説明する。
【００３６】
図９の原稿は、図９（Ａ）、図９（Ｂ）の順番で連続して読むものとする。また図７（Ａ）〜（Ｄ）、図８（Ａ）〜（Ｄ）は見開き２ページモードで、ページの領域を指定するときの表示・操作部１０４の表示画面の模式図である。前述の通り、ＣＰＵ１０５の制御により、表示・操作部１０４におけるユーザの操作検知と表示が実行される。
【００３７】
図５は、実施形態１に係る画像読み取り装置において、見開き２ページモードでコピーが指示されたときの画像読み取り装置の動作を説明するフローチャートである。尚、この処理は、メモリ１０６に展開されたプログラムをＣＰＵ１０５が実行することにより達成される。
【００３８】
まずＳ５０１で、ＣＰＵ１０５は、画像読み取り部１０１で図９（Ａ）の原稿全体の読み取りを行う。そしてＳ５０２で、その読み取った画像データをメモリ１０６に記憶するとともに、ＨＤＤ１０７に記憶してＳ５０３に進む。Ｓ５０３で、ＣＰＵ１０５は、メモリ１０６に記憶した画像データを画像処理部１０３に転送し、プレビュー用の画像処理を行い、その画像処理済の画像データをメモリ１０６に記憶する。また、ＣＰＵ１０５は、メモリ１０６に記憶した画像データを画像拡大・縮小部１０２に転送し、プレビュー画像用の拡大・縮小処理を行い、その結果、得られたプレビュー用画像データをメモリ１０６に記憶する。
【００３９】
次にＳ５０４に進み、ＣＰＵ１０５は、画像読み取り部１０１で読み取った画像データが１回目の読み込みデータかどうかを確認し、１回目の読み込みデータである場合はＳ５０５へ進み、２回目以降の読み込みデータの場合はＳ５１９へ進む。Ｓ５０５で、ＣＰＵ１０５は、表示・操作部１０４に、メモリ１０６に記憶した読み取り画像のプレビュー用画像と、その画像に重ねて見開き２ページモードでの領域指定用の２つの斜線領域（図７（Ａ）の７１６，７１７）を表示する。
【００４０】
図７（Ａ）は、見開き２ページの原稿のプレビュー画像７１５を表示する見開き２ページモードでの領域設定画面を示している。斜線領域７１６は左ページの領域（第１領域）を表わし、斜線領域７１７は右ページの領域（第２領域）を表わしている。ユーザはこの斜線領域の角に表示されたつまみ７１４をドラッグで移動させることにより、この見開き２ページモードでの領域指定の設定を変更することができる。
【００４１】
次にＳ５０６に進み、ＣＰＵ１０５は、表示・操作部１０４に表示したプレビュー画像７１５に対して、つまみ７１４による片方のページの領域を指定する操作を受け付けて領域サイズが変更されたかどうかを判定する。ここで、サイズの変更が指示された場合はＳ５０７に進み、サイズの変更がない場合はＳ５１０へ進む。Ｓ５０７で、ＣＰＵ１０５は、Ｓ５０６でユーザが変更した片方のページの領域の変更を、他方のページの領域にも連動させて変更する。
【００４２】
図７（Ｂ）は、図７（Ａ）の状態からつまみ７１４を移動して左ページの斜線領域７１６を変更したときの見開き２ページ設定画面を示す。このときＣＰＵ１０５は、ユーザによる表示・操作部１０４に表示した斜線領域７１６の変更を検知すると、ユーザによるつまみ７１４のドラッグ動作に合わせて、斜線領域７１６の位置やサイズを変更する。これとともに、右ページの斜線領域７１７の位置やサイズも斜線領域７１６の変更に連動して変更する。
【００４３】
また、図７（Ｂ）の状態から右ページの斜線領域７１７のサイズを変更した画面が図７（Ｃ）に示す見開き２ページ設定画面である。このときＣＰＵ１０５は、ユーザによる表示・操作部１０４に表示した斜線領域７１７の変更操作を検知すると、つまみ７２４に対するドラッグ動作に合わせて斜線領域７１７を変更する。更に、右ページの斜線領域７１７の変更に合わせて、左ページの斜線領域７１６のサイズも斜線領域７１７のサイズも変更する。
【００４４】
次にＳ５０８に進み、ＣＰＵ１０５は、ユーザの操作によって表示・操作部１０４に表示した斜線領域が原稿の半分を超えたかどうかを確認し、斜線領域が原稿の半分を超えた場合はＳ５０９に進み、超えていない場合はＳ５１０へ進む。Ｓ５０９では、ＣＰＵ１０５は、表示・設定画面１０４にアラートを表示し、ユーザによる見開き２ページの領域の修正を促してＳ５０７に進む。
【００４５】
図８（Ａ）は、ユーザが左ページの斜線領域７１６のサイズを変更し、その斜線領域７１６が見開き原稿の半分を超えた場合の見開き２ページ設定画面を示す。本図では説明の簡略化のため右ページの斜線は省略してある。
【００４６】
図８（Ｂ）は、表示・設定画面１０４に見開き２ページモードの領域指定のサイズが原稿の半分を超えた場合のアラート画面７６８を表示した見開き２ページモード設定画面を示す。本実施形態１では、アラート画面を表示して、ユーザによる領域の設定の修正を促しているが、ＣＰＵ１０５が、領域のサイズを自動的に原稿サイズの半分以下に修正しても構わない。
【００４７】
Ｓ５０８で斜線領域が原稿の半分を超えていないときはＳ５１０に進み、ＣＰＵ１０５は、設定完了ボタン７１３が押下されたかどうかを判定する。設定完了ボタン７１３が押下されなければＳ５１１へ進み、押下されればＳ５１２へ進んで、見開き２ページモードの領域設定処理を完了する。Ｓ５１１で、ＣＰＵ１０５は、キャンセルボタン７１２が押下されたかどうかを判定し、キャンセルボタン７１２が押下されなければＳ５０６へ戻って、再度、領域指定の認識を行う。また、キャンセルボタン７１２が押下されると待機状態へ戻る。
【００４８】
設定完了ボタン７１３が押下されるとＳ５１２に進み、ＣＰＵ１０５は、見開き２ページモード設定画面で設定された斜線領域７１６及び斜線領域７１７の領域情報（サイズ及び位置）をメモリ１０６に記憶する。次にＳ５１３に進み、ＣＰＵ１０５は、メモリ１０６に記憶したプレビュー用画像データを画像処理部１０３に転送し、Ｓ５１２で記憶した領域情報を基に、画像の切り出しやセンタリング等の画像処理を行う。そして、その結果の画像データをメモリ１０６に記憶する。そしてＳ５１４に進み、ＣＰＵ１０５は、メモリ１０６に記憶した見開き２ページモード用のプレビュー画像を表示・操作部１０４に表示する。
【００４９】
図７（Ｄ）は、見開き２ページモードでの領域指定を完了した後の全体プレビュー画面を示す図である。
【００５０】
次にＳ５１５に進み、ＣＰＵは、図７（Ｄ）の全ページプレビューボタン７４４が押下されたかどうかを判定し、押下されるとＳ５２１へ進み、押下されなければＳ５１６へ進む。Ｓ５１６で、ＣＰＵ１０５は、プリント開始ボタン７４７が押下されたかどうかを判定し、押下されていればＳ５２６へ進んでプリント処理を開始する、押下されていなければＳ５１７へ進む。Ｓ５１７で、ＣＰＵ１０５は、キャンセルボタン７４５が押下されたかどうかを判定し、押下されていればＳ５０６へ進み、押下されていなければＳ５１８へ進む。Ｓ５１８で、ＣＰＵ１０５は、次ページ読み込みボタン７４６が押下されたかどうかを判定し、押下されていればＳ５０１へ戻り、押下されていなければＳ５０６へ進む。
【００５１】
次にＳ５１８で、次ページ読み込みボタン７４６が押下された場合の２回目以降の読み込みデータに対する処理について説明する。本実施形態１では、図９（Ｂ）の原稿を２回目に読み込んだものとする。またＳ５０１からＳ５１８までの処理に関しては、１回目の読み込みデータに対する処理と同様のため説明は省略する。
【００５２】
この場合はＳ５０４で１回目の読み込みでないと判定されるためＳ５１９に進み、前述のＳ５１２でＣＰＵ１０５がメモリ１０６に記憶した領域情報を読み出す。そしてＳ５２０に進み、ＣＰＵ１０５は、メモリ１０６から読み出した領域情報を基に、見開き２ページモードでの左右ページで指定した領域のサイズ及び位置を決定する。そしてＣＰＵ１０５は、メモリ１０６に記憶した画像データを画像データを画像拡大・縮小部１０２に転送し、プレビュー画像用の拡大・縮小処理を行い、その結果、得られたプレビュー用画像データをメモリ１０６に記憶してＳ５０５に進む。Ｓ５０５でＣＰＵ１０５は、メモリ１０６に記憶した読み取り画像のプレビュー用画像と、Ｓ５２０で決定した見開き２ページモードでの領域指定用の２つの斜線領域をプレビュー用画像に重ねて表示する。
【００５３】
図８（Ｃ）は、２回目の読み込みデータに対する原稿の画像プレビュー７７５を表示した見開き２ページモード設定画面を示している。ここでは、１回目の読み込み時に指定された領域の位置やサイズが適用されるため、図７（Ｃ）でユーザが指定した領域の位置やサイズが適用されている。
【００５４】
なお、Ｓ５０６からＳ５１７の処理に関しては、１回目の読み込みデータに対する処理と同様のため説明を省略する。
【００５５】
次に、Ｓ５２１からＳ５２５までの全画像のプレビュー動作について説明する。
【００５６】
まずＳ５２１で、ＣＰＵ１０５は、ＨＤＤ１０７に記憶されている、今回のコピー操作でそれまでに読み込んだ全ての画像データをメモリ１０６に記憶する。続いて、ＣＰＵ１０５はメモリ１０６に記憶した画像データを画像処理部１０３に転送し、Ｓ５１２で記憶した領域情報を基に、画像の切り出しやセンタリング等の画像処理を行い、その結果得られた画像データをメモリ１０６に記憶する。そしてＳ５２２に進み、ＣＰＵ１０５は、Ｓ５２１でメモリ１０６に記憶した見開き２ページモード用のプレビュー用画像データに基づいてプレビュー画像を表示・操作部１０４に表示する。
【００５７】
図８（Ｄ）は、全ページプレビュー時の最初に読み込んだ見開き２ページの表示画面例を示す図である。ここでＯＫボタン７８５が押されると、次に読み込んだ見開き２ページが表示される。このようにして、切り出しを行うページの領域が変更されると、それまでに読み取った原稿及びその後読み取る原稿の全てに対して、その変更された領域が適用され、その適用された結果をプレビュー表示することができる。
【００５８】
Ｓ５２３で、ＣＰＵ１０５は、図８（Ｄ）でキャンセルボタン７８４が押下されたかどうかを判定し、押下されていればＳ５１６へ進み、押下されていなければＳ５２４に進む。Ｓ５２４で、ＣＰＵ１０５は、図８（Ｄ）でＯＫボタン７８５が押下されたかどうかを判定し、押下されていればＳ５２５へ進み、押下されていなければＳ５２３へ戻る。Ｓ５２５で、ＣＰＵ１０５は、読み込んだ全ての原稿に対してプレビュー表示を行ったかどうかを判定し、読み込んだ全ての原稿のプレビュー表示が完了していなければＳ５２１へ戻り、読み込んだ全原稿のプレビュー表示が完了していればＳ５１６へ進む。
【００５９】
続いて、コピー処理における、見開き２ページモードでのプリント処理について説明する。
【００６０】
Ｓ５１６でプリントの開始が指示されるとＳ５２６に進み、ＣＰＵ１０５は、ＨＤＤ１０７に記憶した画像データを読み出してメモリ１０６に記憶する。次にＳ５２７に進み、ＣＰＵ１０５は、前述のＳ５１２でメモリ１０６に記憶した領域情報を読み出す。そしてＳ５２８に進み、ＣＰＵ１０５は、メモリ１０６に記憶された画像データを画像処理部１０３に転送し、その領域情報を基に画像の切り出しやセンタリング等の画像処理を行う。そして、その結果をメモリ１０６に記憶する。そしてＳ５２９に進み、ＣＰＵ１０５は、Ｓ５２８でメモリ１０６に記憶された処理済の画像データを読み出し、画像印刷部１０８に転送して印刷する。そしてＳ５３０に進み、ＣＰＵ１０５は、全ページを印刷したかを判定し、全ページの印刷が終了していないときＳ５２６に戻り、全ページを印刷するとは処理を完了する。
【００６１】
以上の動作により、コピー動作時の見開き２ページモードの処理が完了する。
【００６２】
このように、見開き２ページモードで、ユーザがプレビュー画面で、画像を切り出す領域を指定する場合に、一方のページの領域を変更すると、その変更を他方のページの領域に反映して変更される。これにより、ユーザが各ページの読み取り領域を個別に調整する必要がなく、容易にユーザが所望する画像領域を指定することができる。
【００６３】
また本実施形態１では、コピー動作を例に見開き２ページモードの処理を説明したが、コピー動作に限ったものではなく、読み取った画像データを切り出してネットワークを介して送信する場合にも適用できる。
【００６４】
［実施形態２］
前述の実施形態１では、見開き２ページで、中心に対して左右ページの領域のサイズが対称である左右対称の原稿を例にして説明した。これに対して実施形態２では、中心に対して左右ページの領域のサイズが対称でない原稿に対する見開き２ページモードでの領域設定について説明する。
【００６５】
図９（Ｃ）は、本実施形態２で読み取る、中心に対して左右ページの領域のサイズが対称でない原稿、即ち、中心で折られていない原稿の例を示す図である。
【００６６】
図１０（Ａ）〜（Ｃ）は、本実施形態２における見開き２ページモードで、左右ページの領域を指定する場合の表示・操作部に表示される画面例を示す図である。
【００６７】
図１１は、実施形態２に係る画像読み取り装置において、見開き２ページモードでコピーが指示されたときの画像読み取り装置の動作を説明するフローチャートである。尚、本実施形態２に係る画像読み取り装置の構成は前述の実施形態１と同一であるため、その詳細な説明は省略する。また本実施形態２では、図示しない設定画面において、中心で折れていない左右非対称原稿に対する見開き２ページモードが選択されているものとする。
【００６８】
以下、本実施形態２の動作について、図１１のフローチャートを用いて説明する。
【００６９】
図１１のフローチャートにおいて、Ｓ１１０６からＳ１１０９以外の処理に関しては、前述の実施形態１で説明した図５のフローチャートと同一のため、同じ符号を付してその説明は省略し、本実施形態２ではＳ１１０１からＳ１１０４のみを説明する。
【００７０】
Ｓ１１０１で、ＣＰＵ１０５は、メモリ１０６に記憶した読み取り画像のプレビュー用画像データによるプレビュー画像と、そのプレビュー画像に重ねて見開き２ページモードでの領域指定用の２つの斜線領域を表示する。
【００７１】
図１０（Ａ）は、原稿画像の画像プレビュー１０１５を表示している見開き２ページモード設定画面を示し、斜線領域１０１６は左ページの領域を表わし、斜線領域１０１７は右ページの領域を表わしている。ユーザはこの斜線領域の角に表示されたつまみ１０１４をドラッグで移動することにより、この見開き２ページモードでの領域の設定を変更することができる。
【００７２】
Ｓ１１０２で、ＣＰＵ１０５は、表示・操作部１０４に表示したプレビュー用画像に対して、つまみ１０１４による左ページの領域の指定操作を受け付けて縦方向のサイズが変更されたかどうかを判定する。ここで縦方向のサイズが変更された場合はＳ１１０３に進み、縦方向のサイズが変更されていない場合はＳ５１０に進む。
【００７３】
Ｓ１１０３で、ＣＰＵ１０５は、Ｓ１１０２でユーザが変更した左ページの領域のサイズの変更のうち、縦方向のサイズのみの変更を右ページの領域にも連動させて領域を変更する。
【００７４】
図１０（Ｂ）は、図１０（Ａ）の状態から左ページの斜線領域１０１６のサイズを変更した見開き２ページ設定画面を示す。ＣＰＵ１０５は、ユーザによる表示・操作部１０４に表示した斜線領域１０１６に対する変更操作を検知すると、ユーザのドラッグ動作に合わせて斜線領域１０１６のサイズを変更する。図１０（Ｂ）の状態では、斜線領域１０１６の横方向の長さしか変更されていないため、実施形態１とは異なり、右ページの斜線領域１０１７のサイズは連動して変更されない。
【００７５】
また図１０（Ｂ）の状態から右ページの斜線領域１０１７のサイズを変更した画面が図１０（Ｃ）に示す見開き２ページ設定画面である。ここでＣＰＵ１０５は、ユーザによる表示・操作部１０４に表示した斜線領域１０１７の変更を検知すると、つまみ１０２４に対するドラッグ動作に合わせて斜線領域１０１７のサイズを変更する。これと同時に、左ページの斜線１０１６の縦方向のサイズのみを、斜線領域１０１７のサイズの変更に連動して変更する。
【００７６】
これにより左右のページの原稿の横方向の長さが異なる、即ち中心に対して見開き２ページのサイズが対称でない場合、左右ページの横方向のサイズはそれぞれ別々に変更でき、縦方向のサイズの変更を連動させることができる。よって、中心に対して見開き２ページのサイズが対称でない場合でも、ユーザがそれぞれのページの領域を容易に指定することができるという効果がある。
【００７７】
そしてＳ１１０４で、ＣＰＵ１０５は、ユーザの操作によって表示・操作部１０４に表示した左右ページの斜線領域の横方向の長さの和が原稿サイズを超えていないかどうかを判定する。そして原稿サイズを超えた場合はＳ５０９に進んでアラートを表示し、超えていない場合はＳ５１０に進む。
【００７８】
前述したように、Ｓ５１０以降の処理は実施形態１と同一のため説明は省略する。
【００７９】
このように、中心で折られていない原稿に対する見開き２ページモードで読み取り領域を指定する場合に、一方のページの領域の縦方向のサイズの変更のみを、他方のページの領域の縦方向のサイズに連動させる。こうしてユーザが所望する読み取り領域を容易に指定することが可能となる。
【００８０】
以上説明したように本実施形態によれば、見開き原稿のプレビュー画面を確認しながらユーザが領域を指定するため、定型外の原稿であっても意図しない分割がされてしまうことがなくなる。
【００８１】
また、見開き原稿を２分割する場合に、見開き面に対する左右のページの領域指定を連動して制御することで、各見開き面で指定された領域のずれをなくすことができる。また見開き面で指定された領域のずれをユーザが容易に確認して修正できるため、ユーザの期待する処理結果を得ることが可能となる。
【００８２】
（その他の実施例）
上記実施形態では、見開き２ページモードにおけるプレビューでは、一方のページでの領域指定を必ず他方のページの領域指定に連動させていた。しかしながら左右のページで別々の大きさや形の領域を指定したい場合も考えられる。そのような要望にも応えられるように、上記実施形態の通りに左右のページの領域指定が連動して行われるモードと、それぞれ別個に領域指定を行うモードとをユーザが選べるようにしてもよい。又は、左右のページの領域指定が連動して行われるモードで動作した後、所定のアイコンが押下されたり、所定の指示がされるのに従って、左右の指定された領域が独立して操作可能になるようにしてもよい。即ち、一旦連動させて領域指定を行った後、一方のページの領域のみのサイズを変えたり、形を変えたりすることができるようにしてもよい。
【００８３】
尚、上記実施形態１と実施形態２とを組み合わせてもい。
【００８４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2013258502.tif 000003
【図２】
2013258502.tif 000004
【図３】
2013258502.tif 000005
【図４】
2013258502.tif 000006
【図５】
2013258502.tif 000007
【図６】
2013258502.tif 000008
【図７】
2013258502.tif 000009
【図８】
2013258502.tif 000010
【図９】
2013258502.tif 000011
【図１０】
2013258502.tif 000012
【図１１】
2013258502.tif 000013